(57)【要約】【課題】充電式電動工具のバッテリパックには、定格電圧について様々なものが提供されている。１８Ｖバッテリは、３６Ｖバッテリよりも広く普及しているため、３６Ｖ仕様の電動工具について１８Ｖバッテリを２つ取り付けて利用できることでユーザーの利便性を高めることができる。本発明は、１８Ｖ仕様の電動工具と３６Ｖ仕様の電動工具に１８Ｖバッテリを利用することを想定してセット販売することによりユーザーの利便性を一層高めることを目的とする。【解決手段】１８Ｖバッテリ６を１つ取り付けた１８Ｖ仕様の電動工具３と２つ取り付けた３６Ｖ仕様の電動工具４を工具ケース２に収容してセット販売する。これによりユーザーは、バッテリの取り付け個数について異なる電動工具を一度に入手することができ、また１８Ｖバッテリ６〜６を２つの電動工具３，４に利用できる。【選択図】図１
2015199169.tif 000002
【特許請求の範囲】
【請求項１】
電源としてのバッテリパックを取り付けるためのバッテリ取り付け部を１つ備える第１電動工具と、２つ備える第２電動工具とを組み合わせてセット販売するための電動工具セット。
【請求項２】
請求項１記載の電動工具セットであって、前記バッテリパックをさらに２つ加えてセット販売する電動工具セット。
【請求項３】
請求項１又は２記載の電動工具セットであって、前記バッテリパックを２つ同時に充電可能な充電器をさらに加えてセット販売する電動工具セット。
【請求項４】
電源としてのバッテリパックを取り付けるためのバッテリ取り付け部を１つ備える第１電動工具と、２つ備える第２電動工具と、前記第１電動工具と前記第２電動工具を１つの工具ケースに収容した電動工具セット。
【請求項５】
請求項４記載の電動工具セットであって、
前記工具ケースは、持ち運び用のハンドル部を備えており、該ハンドル部を把持して持ち運ぶ際に、該工具ケースに前記第１電動工具と前記第２電動工具がそれぞれ前記バッテリパックを前記ハンドル部側に位置させた姿勢で収容される構成とした電動工具セット。
【請求項６】
請求項４記載の電動工具セットであって、
前記工具ケースは、その上面に持ち運び用のハンドル部を備えており、前記第１及び第２電動工具がそれぞれ前記バッテリパックを底部側に位置させた姿勢で収容される構成とした電動工具セット。
【請求項７】
請求項１〜６の何れか１項に記載した電動工具セットであって、
前記第１電動工具としての油圧打撃機構を内装した充電式ソフトインパクトドライバと、前記第２電動工具としての充電式携帯マルノコを組み合わせた電動工具セット。
【請求項８】
顧客の注文を受け付けてＰＣにデータ入力する販売会社と、該販売会社で入力された顧客の注文データをＰＣで一括管理する本社と、該本社の指示に基づいて、バッテリパックの取り付け個数について複数種類の電動工具を製造し、これを組み合わせてセット販売用の電動工具セットとする製造工場と、該製造工場から前記販売会社まで前記電動工具セットを輸送する輸送会社との間で、当該電動工具セットの移動及びデータの送受信が行われる前記電動工具セットの販売システム。
【請求項９】
販売会社において顧客の注文に応じて、在庫からバッテリパックの取り付け個数について複数種類の電動工具を組み合わせてセット販売し、該販売データを本社で一括管理する前記電動工具の販売システム。
【請求項１０】
販売会社において受け付けた顧客の注文データを製造工場に転送し、該注文データに基づいて製造工場でバッテリパックの取り付け個数について複数種類の電動工具を製造し、該製造工場から前記複数種類の電動工具を組み合わせた電動工具セットを前記顧客に配送する販売システム。
【請求項１１】
電源としてのバッテリパックを取り付けるためのバッテリ取り付け部を１つ備える第１電動工具と、２つ備える第２電動工具とを組み合わせてセット販売する販売システムであって、当該電動工具の製造メーカ若しくは販売会社において前記第１電動工具と前記第２電動工具の組み合わせについて予めパターン化されており、顧客は該パターン化された組み合わせから選択して電動工具セットを注文する販売システム。
【発明の詳細な説明】
【技術分野】
【０００１】
本発明は、例えば充電式のバッテリパックを電源とする電動工具及びその販売システムに関する。
【背景技術】
【０００２】
近年、ねじ締め機や切断機等の主として手持ち式の電動工具について、電源コードを経て供給される商用１００Ｖ電源に代えて、充電可能なバッテリパックを電源として取り付ける形態のものが提供されて、そのコードレス化が図られている。係る充電式の電動工具において、電源としてのバッテリパックには、駆動源として工具本体部に内装した電動モータの定格電圧に適合した出力電圧のものが用いられる。このため、例えば電動モータの定格電圧が３６Ｖであれば、その電源としては出力電圧が３６Ｖのバッテリパックが取り付けられる。バッテリパックの定格電圧には、３６Ｖのほかに、１８Ｖ、１４，４Ｖあるいは７．２Ｖ等の様々なものが提供されている。これらのバッテリパックは、例えばリチウムイオンバッテリであり、複数本のバッテリセルをケースに収容したもので、工具本体から取り外して別途用意した充電器で充電することにより繰り返し使用することができるようになっている。複数の機能を組み合わせた電動工具セットに関する技術が下記の特許文献に開示されている。
【先行技術文献】
【特許文献】
【０００３】
【特許文献１】米国特許公開第２００８／００３５５０７号公報
【特許文献２】特開２０１１−１６１６０３号公報
【発明の概要】
【発明が解決しようとする課題】
【０００４】
しかしながら、各種電圧のうち３６Ｖバッテリは他に比べて対応機種が少なく高価であることもあって普及度は低いのが現状である。これに対して、１８Ｖバッテリは対応機種が多く、また使用者は予備バッテリ等として複数個を所有しているため、３６Ｖバッテリよりも広く普及しているのが現状である。
【０００５】
本発明は、例えば１８Ｖバッテリを電源として取り付けて３６Ｖ仕様の電動工具を利用できるようにすることで、ユーザーのバッテリコストを低減しつつ１８Ｖ仕様の電動工具と３６Ｖ仕様の電動工具を使い分ける際の利便性を高めることができる点に着目してなされたものであり、ひいては係るユーザーの利便性を考慮して電動工具メーカーの販売システムを構築するためになされたものである。
【課題を解決するための手段】
【０００６】
上記した課題は、以下の各発明によって解決される。第１の発明は、電源としてのバッテリパックを取り付けるためのバッテリ取り付け部を１つ備える第１電動工具と、２つ備える第２電動工具とを組み合わせてセット販売するための電動工具セットである。第１の発明によれば、例えば定格電圧が１８Ｖのバッテリパック（１８Ｖバッテリ）を１つ取り付け可能な１８Ｖ仕様の第１電動工具と、定格電圧が１８Ｖのバッテリパックを２つ取り付け可能な３６Ｖ仕様の第２電動工具を組み合わせて購入することができる。このため、ユーザー（顧客）は別途１８Ｖバッテリを少なくとも２つ所持することにより、第１電動工具とより高出力の第２電動工具の双方を利用することができる。このように、１８Ｖバッテリを複数所持することにより作業内容に合わせて第１電動工具と第２電動工具を適宜使い分けることができ、これにより作業の効率化を図ることができる。
【０００７】
また、ユーザーが予備バッテリ等として複数個所有している１８Ｖバッテリを流用することにより、専用の３６Ｖバッテリを用意することなく３６Ｖ仕様の第２電動工具を利用することができるので、バッテリコストを低減しつつより高出力の電動工具を利用することができ、これにより当該高出力（３６Ｖ仕様）の電動工具の取り扱い性（使い勝手）を高めることができる。
【０００８】
第２の発明は、第１の発明において、バッテリパックをさらに２つ加えてセット販売するための電動工具セットである。第２の発明によれば、バッテリパックを所持しない新規のユーザーについても、第１及び第２電動工具に加えて２つのバッテリパックを同時に入手することができ、これにより即時第１電動工具及び第２電動工具の双方を組み合わせて使用することができる点でユーザーの利便性を一層高めることができる。
【０００９】
第３の発明は、第１又は第２の発明において、バッテリパックを２つ同時に充電可能な充電器（２口充電器）をさらに加えてセット販売するための電動工具セットである。第３の発明によれば、充電器を所持しない新規ユーザーについても、バッテリパックを２つ同時に充電することにより第１電動工具及び第２電動工具を迅速に組み合わせて利用することができ、この点でユーザーの利便性を一層高めることができる。
【００１０】
第４の発明は、電源としてのバッテリパックを取り付けるためのバッテリ取り付け部を１つ備える第１電動工具と、２つ備える第２電動工具と、前記第１電動工具と前記第２電動工具を１つの工具ケースに収容した電動工具セットである。第４の発明によれば、例えば定格電圧が１８Ｖのバッテリパックを別途２つ所持するユーザーは、１８Ｖ仕様の第１電動工具と３６Ｖ仕様の第２電動工具を一括して入手でき、これを即時組み合わせて使用することにより所持する１８Ｖバッテリを有効に活用して作業の効率化を図ることができる。また、第１電動工具と第２電動工具を１つの工具ケースに収容して持ち運ぶことができるので、様々な形態の作業に対して迅速に対応することができ、当該電動工具セットの利便性を高めることができる。
【００１１】
第５の発明は、第４の発明において、工具ケースは、持ち運び用のハンドル部を備えており、ハンドル部を把持して持ち運ぶ際に、工具ケースに第１電動工具と第２電動工具がそれぞれバッテリパックをハンドル部側に位置させた姿勢で収容される構成とした電動工具セットである。第５の発明によれば、ユーザーはハンドル部側を手前にして工具ケースを作業台上等に横に倒した姿勢で設置した場合に、第１電動工具と第２電動工具がそれぞれバッテリパックを手前側に位置させた姿勢で位置するため、ユーザーは窮屈な姿勢をとることなく、あるいは工具ケースの向きを変えたりすることなくそのままの姿勢で当該第１若しくは第２電動工具を工具ケースから取り出すことができ、この点で当該電動工具セットの取り扱い性を高めることができる。
【００１２】
第６の発明は、第４の発明において、工具ケースは、その上面に持ち運び用のハンドル部を備えており、前記第１及び第２電動工具がそれぞれ前記バッテリパックを底部側に位置させた姿勢で収容される構成とした電動工具セットである。第６の発明によれば、ユーザーは持ち運び時の姿勢のまま工具ケースを作業台上に設置した場合に、第１電動工具と第２電動工具がそれぞれ起立した姿勢となることから、ユーザーは当該第１電動工具と第２電動工具をそれぞれ通常使用時の姿勢で工具ケースから取り出すことができ、この点で当該電動工具セットの取り扱い性を高めることができる。
【００１３】
第７の発明は、第１〜第６の何れか１つの発明において、第１電動工具としての油圧打撃機構（オイルインパクト機構）を内装した充電式ソフトインパクトドライバと、第２電動工具としての充電式携帯マルノコを組み合わせた電動工具セットである。第７の発明によれば、比較的高価な充電式ソフトインパクトドライバを第２電動工具としての充電式携帯マルノコと抱き合わせで購入することができ、これによりユーザーは一般には高価な充電式ソフトインパクトドライバをお得感（価格に対する割安感）を持って当該電動工具セットを購入することができ、結果として当該電動工具セットのコストパフォーマンスを高めることができる。
【００１４】
第８の発明は、顧客の注文を受け付けてＰＣ（パーソナルコンピュータ）にデータ入力する販売会社（販売店）と、販売会社で入力された顧客の注文データをホストＰＣで一括管理する本社と、本社の指示に基づいて、バッテリパックの取り付け個数について複数種類の電動工具を製造し、これを組み合わせてセット販売用の電動工具セットを製造する製造工場と、製造工場から販売会社まで顧客の注文に係る電動工具セットを輸送する輸送会社との間で、当該電動工具セットの移動及びデータの送受信が行われる電動工具セットの販売システムである。
【００１５】
第８の発明によれば、ユーザーは販売会社に対して取り付け可能なバッテリパックの個数について複数種類の電動工具の組み合わせを発注する。ユーザーの注文内容は、販売会社で端末ＰＣにデータ入力され、これが本社のホストＰＣで一括管理される。本社からはデータ管理された注文内容に基づいて製造工場の端末ＰＣに指示が出される。製造工場では、端末ＰＣで確認される注文内容に沿って、バッテリパックの取り付け個数について複数種類の電動工具が製造され、若しくは在庫から選択されて出荷準備がなされる。出荷準備が完了したセット販売用の電動工具セットが輸送会社により販売会社に輸送される。販売会社において、入荷したセット販売用の電動工具セットがユーザーに対して納品される。販売会社において、納品完了の事実が端末ＰＣに入力され、これが本社のホストＰＣで一括管理される。また、製造工場における出荷、輸送会社における輸送状況、販売店における入荷についても本社のホストＰＣで一括管理される。
【００１６】
第９の発明は、販売会社において顧客の注文に応じて、在庫からバッテリパックの取り付け個数について複数種類の電動工具を組み合わせてセット販売し、該販売データを本社で一括管理する前記電動工具の販売方法である。第９の発明によれば、販売会社の在庫からユーザーの注文内容に応じることができる場合には、その場でバッテリパックの取り付け個数について複数種類の電動工具を組み合わせてユーザーにセット販売することができる。セット販売を在庫で対応した事実について、販売会社で端末ＰＣにデータ入力され、これが本社のホストＰＣで一括管理される。この場合、第８の発明における販売経路から製造工場及び輸送会社を省略することができ、ユーザーの注文に対して迅速に対応することができる。
【００１７】
第１０の発明は、販売会社において受け付けた顧客の注文データを製造工場に転送し、この注文データに基づいて製造工場でバッテリパックの取り付け個数について複数種類の電動工具が製造される。製造された複数種類の電動工具を組み合わせた電動工具セットは、製造工場から顧客へ直接配送（納品）される。第１０の発明によれば、顧客から受け付けた電動工具セット若しくは電動工具が販売会社の在庫にない場合等には、販売会社から製造会社へ直接製造指示がなされる。この場合、販売会社において顧客の注文内容が端末ＰＣにデータ入力され、これが本社のホストＰＣ及び製造工場の端末ＰＣの双方へ転送される。転送された注文データは、製造工場において端末ＰＣで確認され、これに基づいて製造工場において複数種類の電動工具が製造される。製造された複数種類の電動工具の組み合わせである電動工具セットは、輸送会社（宅配業者）によって顧客へ直接納品される。このように販売会社から製造工場へ直接製造指示がなされることにより、本社の介在を省略して迅速に顧客へ納品することができる。この場合においても、販売会社における顧客の注文データ、製造工場への製造指示、製造工場における出荷データ、輸送会社の配送状況若しくは納品状況等のデータを本社のホストＰＣにおいて一括管理することができる。
【００１８】
第１１の発明は、電源としてのバッテリパックを取り付けるためのバッテリ取り付け部を１つ備える第１電動工具と、２つ備える第２電動工具とを組み合わせてセット販売する販売システムであって、当該電動工具の製造メーカ若しくは販売会社において前記第１電動工具と前記第２電動工具の組み合わせについて予めパターン化されており、顧客は該パターン化された組み合わせから選択して電動工具セットを注文する販売システムである。第１１の発明によれば、顧客は当該電動工具の製造メーカ若しくは販売会社において予め設定された電動工具セットの組み合わせパターンから選択して希望の電動工具セットを発注することができる。電動工具セットの組み合わせパターンは、作業内容（作業の効率化）、ユーザーの使用頻度若しくは利便性等を考慮して設定することができる。
【図面の簡単な説明】
【００１９】
【図１】本発明の第１実施形態に係る電動工具セットの全体斜視図である。本図では、１８Ｖ仕様のねじ締め機（インパクトドライバ）と３６Ｖ仕様の携帯マルノコが工具ケースに収容された状態で示されている。本図では、両電動工具に加えて、１つの充電器と２つの１８Ｖバッテリが工具ケースに収容された状態で示されている。
【図２】第１実施形態に係る電動工具セットの全体斜視図である。本図では、両電動工具からバッテリパックを取り外し、かつ２つの予備バッテリを取り除いた状態が示されている。
【図３】第１実施形態に係る電動工具セット用の工具ケース単品の斜視図である。
【図４】本発明の第２実施形態に係る電動工具セットの全体斜視図である。本図では、第１電動工具として１８Ｖ仕様の穴あけ用ドリル（ドリルドライバ）、第２電動工具として３６Ｖ仕様のハンマードリルが工具ケースに収容された状態で示されている。
【図５】第２実施形態の電動工具セットの全体斜視図である。本図では、両電動工具からバッテリパックを取り外し、かつ２つの予備バッテリを取り除いた状態が示されている。
【図６】第２実施形態に係る電動工具セット用の工具ケース単品の斜視図である。
【図７】本発明の第３実施形態に係る電動工具セットであって、工具ケースに収容する電動工具の様々なみ合わせを示す斜視図である。
【図８】本発明の第４実施形態に係る電動工具セットであって、工具ケースに収容する電動工具の様々な組み合わせを示す斜視図である。
【図９】顧客の注文に係る電動工具セットの移動経路及び注文データ等の送受信の概略（第１販売システム）を示す概念図である。
【図１０】顧客の注文に係る電動工具セットの移動経路及び注文データ等の送受信の概略（第２販売システム）を示す概念図である。
【図１１】顧客の注文に係る電動工具セットの移動経路及び注文データ等の送受信の概略（第３販売システム）を示す概念図である。
【図１２】顧客の注文に係る電動工具セットの移動経路及び注文データ等の送受信の概略（第４販売システム）を示す概念図である。
【発明を実施するための形態】
【００２０】
次に、本発明の第１実施形態を図１〜図３に基づいて説明する。図１に示すように第１実施形態に係る電動工具セット１は、工具ケース２に、１つの第１電動工具３と１つの第２電動工具４と１つの充電器５と２つの予備バッテリとしてのバッテリパック６，６を収容したもので、これらを一括して顧客にセット販売される。第１電動工具３のバッテリ取り付け部３ａには、電源として１つのバッテリパック６が取り付けられている。第２電動工具４のバッテリ取り付け部４ａには、電源として２つのバッテリパック６，６が取り付けられている。これら合計３つのバッテリパック６〜６には、いずれも定格電圧１８Ｖのリチウムイオンバッテリが用いられている。また、図２に示すように、当該電動工具セット１は、第１及び第２電動工具３，４からバッテリパック６〜６を取り外し、かつ予備バッテリとしての２つのバッテリパック６，６を除外した状態でもセット販売される。
【００２１】
この際には、必要に応じて工具ケース２または充電器５を同時に販売しても良いし、同時に販売しなくても良い。すなわち、第１及び第２電動工具３，４のみを工具ケース２無しで販売しても良い。また、バッテリパック６，６は、スライド式で着脱される充電式電池であり、複数の電池セルを内蔵しつつスライド式の着脱に応じたスライドレールおよび係止フックを有する。さらに、バッテリパック６，６の接続端子は、スライド式にて接続される端子で構成される。なお、第１及び第２電動工具３，４は、バッテリパック６，６を装着された状態でもバッテリパック６，６を外した状態でも工具ケース２に収容可能に構成されている。
【００２２】
図３には、工具ケース２が単体で示されている。工具ケース２はいわゆるプラケースで、合成樹脂の成形により形成されたプラスチック製のハードケースである。工具ケース２は、２つの電動工具３，４と充電器５と予備バッテリとして２つのバッテリパック６，６を収容するケース本体部２ａと、蓋部２ｂを備えている。ケース本体部２ａは、上方開放の矩形をなす比較的底浅の箱体で、その内部スペースは収容した物品のがたつきを防止するための区画壁２ｃ〜２ｃで区画されている。なお、符号２ｃ１１は、第１電動工具３に関してのモータハウジング部の図示上方への移動を規制する。また、符号２ｃ１２は、第１電動工具３に関してのモータハウジング部やバッテリパック６の図示左方への移動を規制する。符号２ｃ１３は、第１電動工具３に関してのモータハウジング部やバッテリパック６の図示右方への移動を規制する。符号２ｃ１４は、第１電動工具３に関してのバッテリパック６の図示下方への移動を規制する。
【００２３】
符号２ｃ１５は、第２電動工具４に関してのハンドル部の図示上方および図示右方への移動を規制する。符号２ｃ１６は、第２電動工具４に関してのハンドル部の図示上方および図示左方への移動を規制する。符号２ｃ１７は、第２電動工具４に関してのベース部の図示左方への移動を規制する。符号２ｃ１８は、第２電動工具４に関してのベース部の図示下方への移動を規制する。符号２ｃ１９は、充電器５に関しての図示右方への移動を規制する。ケース本体部２ａの前部には、ユーザーが持ち運ぶ際に把持するハンドル部２ｅが設けられている。ハンドル部２ｅの左方及び右方には、蓋部２ｂの閉じ状態をロックするためのロック錠２ｆ，２ｆが設けられている。
【００２４】
ケース本体部２ａの後部に蓋部２ｂがヒンジ部２ｄを介して上下に回動可能に結合されている。蓋部２ｂを下方へ回動させてケース本体部２ａを閉じ、この閉じ状態をロック錠２ｆ，２ｆでロックすることにより、ユーザーはハンドル部２ｅを把持して当該電動工具セット１を持ち運ぶことができる。第１及び第２電動工具３，４は、それぞれバッテリパック６〜６をハンドル部２ｅ側（持ち運び時においてユーザーの手前側）に向けた姿勢で収容されている。また、充電器５またはバッテリパック６については、ケース本体部２ａのうち、最もハンドル部２ｅ側に配置されている。
【００２５】
図１に示すように第１電動工具３は、１８Ｖ仕様のねじ締め機で、そのバッテリ取り付け部３ａに定格電圧１８Ｖのバッテリパック６が電源として１つ取り付けられている。第２電動工具４は、３６Ｖ仕様の携帯マルノコで、そのバッテリ取り付け部４ａに定格電圧１８Ｖのバッテリパック６，６が電源として２つ取り付けられている。このため、例えば木材を切断した後に、ねじ締めを行う際に使い易い。バッテリパック６〜６は、それぞれ電動工具３，４のバッテリ取り付け部３ａ，４ａから取り外して充電器５で充電することにより繰り返し使用することができる。充電器５は、商用１００Ｖの交流電源を電源とし、定格電圧１８Ｖのバッテリパック６を１つずつ取り付けて充電することができる。
【００２６】
以上のように組み合わせられた電動工具セット１によれば、１８Ｖ仕様の第１電動工具３と３６Ｖ仕様の第２電動工具４を、共通のバッテリパック６を取り付けて使用することができる。第１電動工具３と第２電動工具４を作業内容に合わせて使い分けることにより、様々な作業の効率化を図ることができる。しかも、取り付け可能なバッテリパック６の個数が異なる第１電動工具３と第２電動工具４が１つの工具ケース２に収容されてセット販売されることによりユーザー（顧客）の利便性が高められる。
【００２７】
図４〜図６には、第２実施形態の電動工具セット１０が示されている。図４に示すように第２実施形態に係る電動工具セット１０は、工具ケース１１に、１つの第１電動工具１２と１つの第２電動工具１３と１つの充電器１４と２つの予備バッテリとしてのバッテリパック１５，１５を収容したもので、これらを一括して顧客にセット販売される。第１電動工具１２のバッテリ取り付け部１２ａには、電源として１つのバッテリパック１５が取り付けられている。第２電動工具１３のバッテリ取り付け部１３ａには、電源として２つのバッテリパック１５，１５が取り付けられている。これら合計３つのバッテリパック１５〜１５には、いずれも定格電圧１８Ｖのリチウムイオンバッテリが用いられている。また、図５に示すように、当該電動工具セット１０は、第１及び第２電動工具１２，１３からバッテリパック１５〜１５を取り外し、かつ予備バッテリとしての２つのバッテリパック１５，１５を除外した状態でもセット販売される。なお、ケース無しで、第１及び第２電動工具１２，１３のみを販売するものであっても良い。
【００２８】
図６には、工具ケース１１が単体で示されている。第１実施形態と同じく工具ケース１１はいわゆるプラケースで、合成樹脂の成形により形成されたプラスチック製のハードケースである。工具ケース１１は、２つの電動工具１２，１３と充電器１４と予備バッテリとして２つのバッテリパック１５，１５を収容するケース本体部１１ａと、蓋部１１ｂを備えている。ケース本体部１１ａは、上方開放の矩形をなす比較的底浅の箱体で、その内部スペースは収容した物品のがたつきを防止するための区画壁１１ｃ〜１１ｃで区画されている。なお、符号１１ｃ１１は、第１電動工具１２に関してのモータハウジング部の図示上方への移動を規制する。また、符号１１ｃ１２は、第１電動工具１２に関してのハンドル部の図示左方への移動を規制する。符号１１ｃ１３は、第２電動工具１３に関してのモータハウジング部の図示右方への移動を規制する。符号１１ｃ１４も、第２電動工具１３に関してのハンドル部の図示右方への移動を規制する。符号１１ｃ１５は、充電器１４に関しての図示右方への移動を規制する。ケース本体部１１ａの前部には、ユーザーが持ち運ぶ際に把持するハンドル部１１ｅが設けられている。ハンドル部１１ｅの左方及び右方には、蓋部１１ｂの閉じ状態をロックするためのロック錠１１ｆ，１１ｆが設けられている。
【００２９】
ケース本体部１１ａの後部に蓋部１１ｂがヒンジ部１１ｄを介して上下に回動可能に結合されている。蓋部１１ｂを下方へ回動させてケース本体部１１ａを閉じ、この閉じ状態をロック錠１１ｆ，１１ｆでロックすることにより、ユーザーはハンドル部１１ｅを把持して当該電動工具セット１０を持ち運ぶことができる。第１及び第２電動工具１２，１３は、それぞれバッテリパック１５〜１５をハンドル部１１ｅ側（持ち運び時においてユーザーの手前側）に向けた姿勢で収容されている。
【００３０】
図４に示すように第１電動工具１２は、１８Ｖ仕様の穴あけ用の電動ドライバドリルで、そのバッテリ取り付け部１２ａに定格電圧１８Ｖのバッテリパック１５が電源として１つ取り付けられている。第２電動工具１３は、３６Ｖ仕様のハンマードリルで、そのバッテリ取り付け部１３ａに定格電圧１８Ｖのバッテリパック１５，１５が電源として２つ取り付けられている。バッテリパック１５〜１５は、それぞれ電動工具１２，１３のバッテリ取り付け部１２ａ，１３ａから取り外して充電器１４で充電することにより繰り返し使用することができる。充電器１４は、商用１００Ｖの交流電源を電源とし、定格電圧１８Ｖのバッテリパック１５を１つずつ取り付けて充電することができる。このため、第１及び第２電動工具１２，１３の使用態様として、例えばコンクリートの穴あけをするに際して有利に使えるようになる。
【００３１】
以上のように組み合わせられた第２実施形態の電動工具セット１０によっても、１８Ｖ仕様の第１電動工具１２と３６Ｖ仕様の第２電動工具１３を、共通のバッテリパック１５を取り付けて使用することができる。第１電動工具１２と第２電動工具１３を作業内容に合わせて使い分けることにより、様々な作業の効率化を図ることができる。しかも、取り付け可能なバッテリパック１５の個数が異なる第１電動工具１２と第２電動工具１３が１つの工具ケース１１に収容されてセット販売されることによりユーザー（顧客）の利便性が高められる。
【００３２】
また、第１及び第２実施形態に係る電動工具セット１，１０によれば、工具ケース２，１１に収容した第１電動工具３，１２及び第２電動工具４，１３は、いずれもバッテリパック６〜６，１５〜１５をハンドル部２ｅ，１１ｅ側に向けた姿勢で収容されている。このため、図１，４に示すようにユーザーはハンドル部２ｅ，１１ｅ側を手前にして工具ケース２，１１を作業台上等に横に倒した姿勢で設置した場合に、第１電動工具３，１２と第２電動工具４，１３がそれぞれバッテリパック６〜６，１５〜１５を手前側に向けた姿勢で位置するため、ユーザーは窮屈な姿勢をとることなく、あるいは工具ケース２，１１の向きを変えたりすることなくそのまま楽に第１電動工具３，１２若しくは第２電動工具４，１３を工具ケース２，１１から取り出すことができ、この点で当該電動工具セット１，１０の取り扱い性を高めることができる。
【００３３】
次に、図７には第３実施形態の電動工具セット２０が示され、図８には第４実施形態の電動工具セット３０が示されている。第３実施形態の電動工具セット２０は、第１電動工具類２１から選択した１つ若しくは複数の電動工具と、第２電動工具類２２から選択した１つ若しくは２つの電動工具とを組み合わせて工具ケース２３に収容してセット販売される。第１電動工具類２１は、電源として定格電圧が１８Ｖのバッテリパック２４を１つ取り付け可能な９種類の電動工具Ａ〜Ｉから構成されている。第２電動工具類２２は、電源として同じく定格電圧が１８Ｖのバッテリパック２４を２つ取り付け可能な２種類の電動工具Ｊ，Ｋから構成されている。
【００３４】
第１電動工具類２１は、９種類の電動工具Ａ〜Ｉで構成されている。電動工具Ａは、現場で作業中等に音楽を流すための充電式のラジオである。電動工具Ｂは、木材等を切断する充電式のジグソー（切断機）である。電動工具Ｃは、木材等にねじ締めをする充電式のオイルパルス形式のソフトインパクトドライバ（オイルパルスドライバともいう）である。電動工具Ｄは、金属や石材等を研削する充電式のディスクグラインダである。電動工具Ｅは、木材やシーリング材等を切断や剥離する充電式のマルチツールである。電動工具Ｆは、コンクリートへの穴あけや木材等のねじ締めを行う充電式の電動ドライバドリルである。電動工具Ｇは、木材等にねじ締めをする充電式のインパクトドライバである。電動工具Ｈは、現場で暗いときに明るく照らす充電式の照明具である。電動工具Ｉは、木材や鉄パイプ等を切断する充電式のレシプロソーである。この９種類の電動工具Ａ〜Ｉのうち、１つ若しくは複数の電動工具が選択されて電動工具セット２０とされる。第２電動工具類２２は、２種類の電動工具Ｊ，Ｋで構成されている。電動工具Ｊは、木材等を切断する充電式の携帯マルノコである。電動工具Ｋには、コンクリートへの穴あけを行う充電式のハンマードリルである。
【００３５】
工具ケース２３は、比較的深さが深い上方開放の大型の工具収納ケースで、前記工具ケース２，１１と同じくプラスチック製のハードケースが用いられている。この工具ケース２３は上下に回動可能に結合された蓋部によって開閉される。図では蓋部が省略されている。この工具ケース２３の内部は、十字形に交差する縦壁２３ａと横壁２３ｂによって４つの収納スペースに区画されている。各収納スペースに、第１電動工具類２１から選択された１つ若しくは複数の電動工具と、第２電動工具類２２から選択された１つ若しくは複数の電動工具が収容されて電動工具セット２０とされる。この収容されるスペースの数は、複数（２）以上の数で適宜に変更することができる。
【００３６】
第３実施形態に係る工具ケース２３の各収納スペースは十分に深さが深いことから、当該各収納スペースに対して第１若しくは第２電動工具類２１，２２の各電動工具をバッテリパック２４を底部に当接させて上下に立てた姿勢で収納することにより、その重心を極力底部側に位置させて安定した姿勢で収納することができる。例えば、第１電動工具類２１の電動工具Ａ，Ｃ，Ｆ，Ｇ，Ｈ、第２電動工具類２２の電動工具Ｋは、図示する立てた姿勢で収納することができ、第１電動工具類２１Ｂ，Ｄ，Ｅ、Ｉは図示する横に延びる横向き姿勢から立てて上方へ延びる縦向き姿勢で収納することにより、それぞれ安定した姿勢で各収納スペースに収納することができる。
【００３７】
第４実施形態の電動工具セット３０は、いわゆる園芸工具（ガーデニングツールともいう）の組合せとなっている第３電動工具類３１から選択した１つ若しくは複数の電動工具と、第４電動工具類３２から選択した１つ若しくは複数の電動工具とを組み合わせて工具ケース２３に収容してセット販売される。第３電動工具類３１は、電源として定格電圧が１８Ｖのバッテリパック３４を１つ取り付け可能な３種類の電動工具Ｌ〜Ｎから構成されている。電動工具Ｌは、木材等を切断する充電式チェーンソーである。電動工具Ｍには、生垣の枝葉を刈り込んで整える充電式のヘッジトリマ（生垣バリカン）である。電動工具Ｎには、芝生を刈り込んで整える充電式の芝生バリカンである。第４電動工具類３２は、電源として同じく定格電圧が１８Ｖのバッテリパック３４を２つ取り付け可能な４種類の電動工具Ｐ〜Ｓから構成されている。電動工具Ｐは、木材等を切断する充電式チェーンソーである。電動工具Ｑは、生垣の枝葉を刈り込んで整える充電式のヘッジトリマ（生垣バリカン）が設定である。電動工具Ｒには、草を刈り込んで整える充電式の刈払い機（草刈り機）である。電動工具Ｓは、風を吹き出させて落ち葉集めなどをする充電式のブロワである。
【００３８】
図７に示す第３実施形態及び図８に示す第４実施形態では、１８Ｖバッテリを１つ取り付け可能な１８Ｖ仕様の電動工具（第１、第３電動工具類２１，３１）と、１８Ｖバッテリを２つ取り付け可能な３６Ｖ仕様の電動工具（第２、第４電動工具類２２，３２）について、それぞれ様々な形態の電動工具を設定し、これらの中から適宜選択した組み合わせを１つの工具ケース２３に収容して電動工具セットとすることができることを示している。ユーザーの要望に応じて組み合わせた電動工具セットをセット販売することにより、ユーザーの利便性を高め、また作業の効率化を図ることができる。各電動工具類から複数の電動工具を選択して組み合わせることも可能である。
【００３９】
第４実施形態に係る工具ケース２３の各収納スペースについても十分に深い深さを確保することにより、当該各収納スペースに対して第３若しくは第４電動工具類３１，３２の各電動工具をバッテリパック３４を底部に当接させて上下に立てた姿勢で収納することにより、その重心を極力底部側に位置させて安定した姿勢で収納することができる。例えば、第３電動工具類３１の電動工具Ｌ，Ｍ，Ｎ、第４電動工具類３２の電動工具Ｓ，Ｐ，Ｑは、図示する横に延びる横向き姿勢から立てて上方へ延びる縦向き姿勢で収納することにより、それぞれバッテリパック３４を底部側に位置させた安定した姿勢で各収納スペースに収納することができる。なおこの場合、電動工具Ｍ，Ｑ（ヘッジトリマ）については先端刃具、電動工具Ｓ（ブロワ）については先端ノズルをそれぞれ工具本体部から分離して各収納スペースに収納することが省スペース化の観点からより望ましい。また、第４電動工具類３２の電動工具Ｒ（草刈り機）については、先端刃具、エクステンションバー、ハンドル部及び工具本体部を相互に分離して、当該工具本体部をバッテリパック３４，３４を収納スペースの底部に当接させた状態で収納し、また先端刃具等を収納スペースに収納することが望ましい。
【００４０】
第１〜第４電動工具類２１，２２，３１，３２から選択される電動工具の組み合わせについては、当該電動工具セットの販売店（販売会社）若しくは電動工具メーカ（本社）において、予めパターン化しておくことができる。電動工具の組み合わせについてパターン化された電動工具セットを設定し、これを販売会社の端末ＰＣ若しくは電動工具メーカ本社のホストＰＣにおいてデータベース化することにより、当該電動工具セットの拡販を図ることができる。
【００４１】
図９〜図１２には、電動工具セットの注文受付から納品に至るまでの販売データの送受信及び商品移動経路の概略である販売システムが示されている。なお、図では端末若しくはホストコンピュータとしてのパーソナルコンピュータを単にＰＣと表示している。図９には第１販売システムが例示されている。第１販売システムでは、電動工具メーカの本社と販売会社（販売店）と製造工場との間で販売データの送受信がなされる。販売会社において顧客から受けた注文内容が端末ＰＣに入力される。電動工具メーカーの本社では、１８Ｖバッテリ１つを取り付ける１８Ｖ仕様の電動工具と１８Ｖバッテリ２つを取り付ける３６Ｖ仕様の電動工具との組み合わせに関して予めパターン化された電動工具セットがデータベース化されている。顧客は、パターン化された電動工具セットから希望の電動工具セットを選択して注文することができる。
【００４２】
販売会社において入力された注文データは、本社のホストＰＣに送信される。本社では多数の顧客の注文データがホストＰＣで一括管理される。本社では、一括管理する顧客の注文データに基づいて、製造工場に電動工具セットの製造指示を送信する。製造工場では、端末ＰＣで製造指示を確認する。製造工場では、端末ＰＣで確認した製造指示に基づいて電動工具セットを製造する。製造された電動工具セットは製造工場から出荷される。製造工場では、顧客の注文に係る電動工具セットが出荷された事実を端末ＰＣにデータ入力する。入力された出荷情報は本社ＰＣに送信されて一括管理される。
【００４３】
製造された電動工具セットは、輸送会社（宅配業者）によって製造工場から販売会社へ輸送される。販売会社では、顧客の注文に係る電動工具セットが入荷された事実を端末ＰＣに入力する。入力されたデータは本社ＰＣに送信されて一括管理される。また、これとともに入荷した旨の連絡が顧客になされる。販売会社は、顧客の来社を待って商品としての電動工具セットを引き渡して、一連の販売行為が完了する。なお、販売会社は、顧客の要望に応じて入荷した電動工具セットを直接顧客のもとへ宅配する。
【００４４】
以上の第１販売システムでは、販売会社の端末ＰＣと本社のホストＰＣと製造工場での端末ＰＣとの間で、若しくはこれに輸送会社の端末ＰＣを加えたネットワークを通じて顧客の注文に係る電動工具セットの情報が共有される。
【００４５】
図１０には、第２販売システムが例示されている。第２販売システムでは、販売会社において電動工具セットの在庫が存在する場合を想定している。第１販売システムと同様、顧客は、パターン化された電動工具セットの中から希望の電動工具セットを選択して注文することができる。販売会社において顧客から受けた注文内容が端末ＰＣにデータ入力される。入力されたデータは本社のホストＰＣに送信されて本社で一括管理される。販売会社において顧客の注文内容を端末ＰＣに入力した時点、若しくは本社からの指示により顧客の注文に係る電動工具セットが販売会社に在庫として存在することが判明する。在庫の存在を確認した販売会社では、注文を受け付けたその場で在庫の電動工具セットを顧客に手渡しで、若しくは宅配のために出荷して販売することができる。
【００４６】
図１１には、第３販売システムが例示されている。第３販売システムでは、現地法人において電動工具セットの在庫が存在する場合を想定している。なお、この現地法人としては、例えばUSAやGERMANYなどの海外諸国の現地の法人会社である。第２販売システムと同様、顧客は、パターン化された電動工具セットの中から希望の電動工具セットを選択して販売会社に注文することができる。この際、顧客は、販売会社を介して現地法人に注文することによる。現地法人において販売会社（顧客）から受けた注文内容が端末ＰＣにデータ入力される。入力されたデータは現地法人のホストＰＣに送信されて現地法人で一括管理される。現地法人において販売会社（顧客）の注文内容を端末ＰＣに入力した時点、若しくは本社からの指示により販売会社（顧客）の注文に係る電動工具セットが現地法人に在庫として存在することが判明する。在庫の存在を確認した現地法人では、注文を受け付けたその場で在庫の電動工具セットを販売会社を介して顧客に手渡しで、若しくは宅配のために出荷して販売することができる。
【００４７】
図１２には、第４販売システムが例示されている。第３販売システムでは、販売会社から製造工場へ直接製造指示がなされ、また製造された電動工具が販売会社を経由することなく直接顧客に宅配される場合を想定している。第１及び第２販売システムと同様、顧客はパターン化された電動工具セットの中から希望の電動工具セットを選択して注文することができる。販売会社において顧客から受け付けた注文内容が端末ＰＣにデータ入力される。入力されたデータは本社のホストＰＣと製造工場の端末ＰＣの双方に送信される。本社では顧客の注文内容が一括管理される。製造工場では、端末ＰＣで確認した注文内容に基づいて顧客の注文に係る電動工具セットの各電動工具の製造がなされる。
【００４８】
製造された電動工具セットは、製造工場から出荷され、輸送会社が顧客のもとへ直接輸送（宅配）する。製造工場では、顧客の注文に係る電動工具セットが出荷された事実が端末ＰＣを通じて入力される。入力された出荷データは本社のホストＰＣ及び販売会社の端末ＰＣの双方に送信されてそれぞれ管理される。また、輸送会社では、顧客の注文に係る電動工具セットが直接顧客に対して納品された事実が、本社のホストＰＣ、販売会社の端末ＰＣ及び製造工場の端末ＰＣにそれぞれ送信され、これにより一連の販売行為が完了した事実が確認される。
【００４９】
以上説明した各実施形態には種々変更を加えることができる。例えば、第１及び第２実施形態において、工具ケース２，１１に２つの電動工具（第１電動工具３，１２と第２電動工具４，１３）を収容してセット販売する構成を例示したが、３つ以上の電動工具を組み合わせてセット販売する構成としてもよい。また、電動工具セット１，１０から、充電器５，１４、バッテリパック６〜６、１５〜１５を除外してもよい。この場合、工具ケース２，１１について、充電器５，１４を収容するスペース、予備のバッテリパック６，６，１５，１５を収容するスペースを省略することができる。
【００５０】
電動工具セット１，１０に加える充電器は、例示した一口用の充電器５，１４に代えて２口用の充電器（２つのバッテリパックを同時に取り付けて充電できる充電器）を電動工具セットに加える構成としてもよい。
【００５１】
さらに、第３及び第４実施形態において、４つの収納スペースに区画された工具ケース２３を例示したが、２つ以上の収納スペースに区画された工具ケースについても同様の適用することができる。また、工具ケースについては係る収納スペースに区画された構成ではなく、第１及び第２実施形態における２ｃ，１１ｃの区画壁を適宜設けて収納した電動工具を保持する構成としてもよい。
【００５２】
さらに、工具ケース２，１１，２３は、プラスチック製のハードケースに代えて、布製若しくは皮革製の手提げバックあるいは背負うリュックサック等に変更してもよい。また、簡易なダンボール箱を工具ケースとしてもよい。このような場合には、付加価値を高める効果やコスト削減の効果を有することとなる。
【符号の説明】
【００５３】
１…電動工具セット（第１実施形態）
２…工具ケース
２ａ…ケース本体部、２ｂ…蓋部、２ｃ…区画壁、２ｄ…ヒンジ部、２ｅ…ハンドル部
２ｆ…ロック錠
３…第１電動工具（１８Ｖ仕様）、３ａ…バッテリ取り付け部
４…第２電動工具（３６Ｖ仕様）、４ａ…バッテリ取り付け部
５…充電器
６…バッテリパック（定格電圧１８Ｖ）
１０…電動工具セット（第２実施形態）
１１…工具ケース
１１ａ…ケース本体部、１１ｂ…蓋部、１１ｃ…区画壁、１１ｄ…ヒンジ部
１１ｅ…ハンドル部、１１ｆ…ロック錠
１２…第１電動工具（１８Ｖ仕様）、１２ａ…バッテリ取り付け部
１３…第２電動工具（３６Ｖ仕様）、１３ａ…バッテリ取り付け部
１４…充電器
１５…バッテリパック（定格電圧１８Ｖ）
２０…電動工具セット（第３実施形態）
２１…第１電動工具類
２２…第２電動工具類
２３…工具ケース、２３ａ…縦壁、２３ｂ…横壁
２４…バッテリパック（定格電圧１８Ｖ）
３０…電動工具セット（第４実施形態）
３１…第３電動工具類
３２…第４電動工具類
３４…バッテリパック（定格電圧１８Ｖ）
【図１】
2015199169.tif 000003
【図２】
2015199169.tif 000004
【図３】
2015199169.tif 000005
【図４】
2015199169.tif 000006
【図５】
2015199169.tif 000007
【図６】
2015199169.tif 000008
【図７】
2015199169.tif 000009
【図８】
2015199169.tif 000010
【図９】
2015199169.tif 000011
【図１０】
2015199169.tif 000012
【図１１】
2015199169.tif 000013
【図１２】
2015199169.tif 000014